(57)【要約】【課題】二成分から成る歯科修復用材料を混合練和する効率が格段に向上した新規な歯牙修復材用カプセルを提供する。【解決手段】歯牙修復材用カプセルを、第一成分Ａが収納された混合区画室1bを形成する横断面内面が円形のシリンダー状のカプセル本体１と、カプセル本体１内で回転且つ摺動自在で嵌入され先端に棒状突起2aを後端に第一押圧部位2bと回転力が付与される回転力伝達係合部位2cとを有し第二成分Ｂが収納された収納区画室2dと撹拌棒用貫通穴2eとが穿設されたプランジャ２と、先端側へ押圧されると先端で第二成分Ｂを混合区画室1b内へ導入させ且つ先端が混合区画室1bの先端内面又はその近傍まで侵入するように収納区画室2dに摺動自在に嵌入された貫通撹拌棒体３と、先端が混合区画室1bの先端内面又はその近傍まで侵入するように撹拌棒用貫通穴2eに摺動自在に嵌入された撹拌専用棒体４と、カプセル本体１に固定又は装着されるノズル５とで構成する。【選択図】図１
2008284347.tif 000002
【特許請求の範囲】
【請求項１】
横断面内面が円形であるシリンダー状を成し、その先端側に吐出用開口破断部(1a)が形成されていると共に第一成分(Ａ)が収納されている混合区画室(1b)を形成するカプセル本体(１)と、
円柱状を成し、該カプセル本体(１)内で回転自在で且つ該カプセル本体(１)の混合区画室(1b)内の混合物(Ｃ)を押し出せるように該混合区画室(1b)内に摺動自在に嵌入されており、その先端の略中心位置に、該カプセル本体(１)の吐出用開口破断部(1a)を押し破るための棒状突起(2a)が突設されていると共に、その後端に、先端側へ押圧される第一押圧部位(2b)と、該カプセル本体(１)内で回転せしめられるための回転力が付与される回転力伝達係合部位(2c)とを有し、該第一押圧部位(2b)及び該回転力伝達係合部位(2c)から離れた位置で且つ該カプセル本体(１)の混合区画室(1b)の中心軸線から該棒状突起(2a)の最大太さ以上円周側に離れた位置に、その後端の開口する挿入口(2da)から先端側の導入用開口破断部(2db)に至るまで同一横断面を成す形状に該カプセル本体(１)の混合区画室(1b)の中心軸線と平行に形成され第二成分(Ｂ)が収納されている収納区画室(2d)と、その後端から先端に至るまで同一横断面を成す形状に該カプセル本体(１)の混合区画室(1b)の中心軸線と平行に形成された撹拌棒用貫通穴(2e)とがそれぞれ穿設されているプランジャ(２)と、
該プランジャ(２)の収納区画室(2d)に摺動自在な形状を成し、その後端の第二押圧部位(3a)が先端側へ押圧されるとその先端で該プランジャ(２)の導入用開口破断部(2db)を押し破って第二成分(Ｂ)を前記カプセル本体(１)の混合区画室(1b)内へ導入させ且つその先端が該カプセル本体(１)の混合区画室(1b)の先端内面に当接するか又はその先端内面近傍まで侵入せしめられるように該プランジャ(２)の収納区画室(2d)に嵌入されている貫通撹拌棒体(３)と、
前記プランジャ(２)の撹拌棒用貫通穴(2e)に摺動自在な形状を成し、その先端が該カプセル本体(１)の混合区画室(1b)の先端内面に当接するか又はその先端内面近傍まで侵入した状態で該プランジャ(２)の撹拌棒用貫通穴(2e)に嵌入されている撹拌専用棒体(４)と、
前記カプセル本体(１)の先端部に固定又は装着され、前記プランジャ(２)の第一押圧部位(2b)が先端側へ押圧されると該プランジャ(２)の棒状突起(2a)で開口せしめられた該カプセル本体(１)の吐出用開口破断部(1a)から該カプセル本体(１)の混合区画室(1b)内の第一成分(Ａ)と第二成分(Ｂ)とが混合練和された混合物(Ｃ)を吐出させるノズル(５)と、
から構成されていることを特徴とする歯牙修復材用カプセル。
【請求項２】
プランジャ(２)に、複数の収納区画室(2d)及び／又は複数の撹拌棒用貫通穴(2e)が穿設されている請求項１に記載の歯牙修復材用カプセル。
【請求項３】
プランジャ(２)の収納区画室(2d)及び撹拌棒用貫通穴(2e)が、それぞれの中心軸線から該プランジャ(２)の中心軸線までの距離がそれぞれ異なるように穿設されている請求項１又は請求項２に記載の歯牙修復材用カプセル。
【請求項４】
プランジャ(２)の収納区画室(2d)及び撹拌棒用貫通穴(2e)が、該プランジャ(２)の後端側から見た際に該プランジャ(２)の中心軸線に対しそれぞれ均等な角度となるような位置に穿設されている請求項３に記載の歯牙修復材用カプセル。
【請求項５】
プランジャ(２)が、該プランジャ(２)の後端側から見た際に該プランジャ(２)の外周縁近傍に位置するように穿設されている収納区画室(2d)及び／又は撹拌棒用貫通穴(2e)を有している請求項１から請求項４までの何れか１項に記載の歯牙修復材用カプセル。
【請求項６】
貫通撹拌棒体(３)の先端側に、後端側よりもその横断面積が小さい横断面で且つ先端まで亘って同一の横断面である収納用細棒状部位(3b)が形成されていると共に、該貫通撹拌棒体(３)の収納用細棒状部位(3b)の外周面とプランジャ(２)の収納区画室(2d)の内周面との間の空間に第二成分(Ｂ)が収納されている請求項１から請求項５までの何れか１項に記載の歯牙修復材用カプセル。
【請求項７】
貫通撹拌棒体(３)の収納用細棒状部位(3b)が、該貫通撹拌棒体(３)の第二押圧部位(3a)が先端側へ押圧されてその先端がカプセル本体(１)の混合区画室(1b)の先端内面に当接するか又はその先端内面近傍まで侵入せしめられたときに該収納用細棒状部位(3b)の後端がプランジャ(２)の収納区画室(2d)の導入用開口破断部(2db)近傍に至るような長さに形成されていると共に、該プランジャ(２)の収納区画室(2d)の導入用開口破断部(2db)が該収納用細棒状部位(3b)で押し破れる位置の横断面積が該収納用細棒状部位(3b)の横断面積よりも僅かに大きく形成されている請求項６に記載の歯牙修復材用カプセル。
【請求項８】
貫通撹拌棒体(３)の先端側が、中実の該貫通撹拌棒体(３)の先端に斜めに切り欠かれた筒状を成し、プランジャ(２)の収納区画室(2d)の導入用開口破断部(2db)を押し破ることができ且つカプセル本体(１)の混合区画室(1b)の先端内面に当接すると押しつぶされるような可撓性を有する材質で形成されている請求項１から請求項５までの何れか１項に記載の歯牙修復材用カプセル。
【請求項９】
貫通撹拌棒体(３)の先端側に後端側よりもその横断面積が小さい横断面を有する摺動用細棒状部位(3c)が形成されていると共に、該摺動用細棒状部位(3c)に、その横断面外周が該貫通撹拌棒体(３)の横断面外周と同一形状を成し且つその先端部が斜めに切り欠かれた筒状を成し、初期位置ではその斜めに切り欠かれた部位が該摺動用細棒状部位(3c)の先端より突出した状態に位置し、プランジャ(２)の収納区画室(2d)の導入用開口破断部(2db)を押し破ってカプセル本体(１)の混合区画室(1b)の先端内面に当接すると後端側へ摺動するように構成されている突き破り部(3d)が外嵌されている請求項１から請求項５までの何れか１項に記載の歯牙修復材用カプセル。
【請求項１０】
プランジャ(２)の回転力伝達係合部位(2c)が、該プランジャ(２)の後端に設けられた複数の凹状部及び／又は凸状部から成る請求項１から請求項９までの何れか１項に記載の歯牙修復材用カプセル。
【請求項１１】
プランジャ(２)の回転力伝達係合部位(2c)が、該プランジャ(２)の後端で且つカプセル本体(１)の混合区画室(1b)の中心軸線と一致する位置に設けられた横断面が円形以外の凹状部又は凸状部から成る請求項１から請求項９までの何れか１項に記載の歯牙修復材用カプセル。
【請求項１２】
プランジャ(２)の回転力伝達係合部位(2c)が、第一押圧部位(2b)をも兼ねている請求項１から請求項１１までの何れか１項に記載の歯牙修復材用カプセル。
【発明の詳細な説明】
【技術分野】
【０００１】
本発明は、歯科治療分野での歯牙の修復のための充填，合着，裏装，その他の用途において、二成分から成る歯科修復用材料を混合練和した後に直ちに患者の修復すべき部位に投与することが可能な歯牙修復材用カプセルに関するものである。
【背景技術】
【０００２】
一般に歯牙の修復には歯牙修復用材料が用いられるが、この歯牙修復用材料としては通常混合練和によって反応する粉体成分と液体成分又は液体成分同士の二成分から成る材料が用いられている。従来、この二成分から成る歯牙修復用材料は各成分をその都度適宜計量して混合練和して使用されていた。しかるに近年、各成分の計量作業と混合練和した後の歯牙修復用材料を修復すべき部位に投与するためのシリンジ内へ収納する作業との省略を目的として、予め各成分の一定量を計量してそれぞれ隔離状態で収納しておき、所望時にその隔離状態を解除させてミキサー等で機械的に混合練和し、この混合練和物をノズルを介して歯牙の窩洞等の修復すべき部位に直接押し出して投与する歯牙修復材用カプセルが開発されてきている。
【０００３】
このような歯牙修復材用カプセルとしては、例えば粉体成分が収納される混合区画室を有するシリンダー状であってその先端部中心軸上に混合練和物の出口穴を形成させる第１開口形成部が設けられているカプセル本体と、内部に液体成分が収納される液体成分収納室を有しその先端部中心軸上に液体成分の出口穴を形成させる第２開口形成部が設けられており、前記カプセル本体の混合区画室を形成するシリンダー状部分に嵌合しており後端部近傍の外側面に該第２開口形成部を押し破って液体成分の出口穴を形成させる際にカプセル本体内へ簡単に滑り込まないようにするが大きな力を作用させた場合にはカプセル本体内へ入り込むことを阻害しない大きさの凸状ストッパーが設けられている液体カップと、前記液体カップの第２開口形成部と前記カプセル本体の第１開口形成部とを押し破るための棒状突起を有しており液体カップ内のシリンダー状部分に嵌合しているプランジャと、後端部がカプセル本体の先端部に対応する形状を成し、カプセル本体の先端部に接続されているノズルとから成る歯牙修復材用カプセル（例えば、特許文献１参照。）が存在する。
【０００４】
このような歯牙修復材用カプセルを用いて個々に収納された二成分を混合練和するには、先ずプランジャを先端側へ摺動させてプランジャの棒状突起で液体カップの第２開口形成部を押し破ることにより、液体カップ内に収納された液体成分をカプセル本体の粉体成分が収納された混合区画室内へ流入せしめた後に、例えば歯牙修復材用カプセルを保持するカプセル保持室とこのカプセル保持室の長手方向を一定方向に維持せしめた状態でカプセル保持室自体を円運動せしめるカプセル保持室回転手段とこのカプセル保持室回転手段を駆動せしめる駆動手段とから成る歯牙修復材用カプセル用練和装置（例えば、特許文献２参照。）や、歯牙修復材用カプセルの混合区画室内で歯牙修復材料の粉体成分と液体成分とを振盪させて混合練和するため、歯牙修復材用カプセルを保持するカプセル保持室を有する歯牙修復材用カプセル用練和装置（例えば、特許文献３参照。）等の装置にその混合区画室内に二成分が存在する状態の歯牙修復材用カプセルを装着し、しかる後にかかる装置により歯牙修復材用カプセル自体を回転又は振盪させることによって歯牙修復材用カプセルの混合区画室内の両成分を混合練和するのである。
【０００５】
しかしながら、このような歯牙修復材用カプセルでは、歯牙修復材用カプセルのカプセル本体の混合区画室内で歯牙修復用材料を構成する二成分を混合練和して簡便に混合物を得ることができるものの、歯牙修復材用カプセルのカプセル本体の混合区画室内で歯牙修復用材料を構成する二成分を混合練和する際には、歯牙修復材用カプセル用練和装置を用いて歯牙修復材用カプセル自体を保持し且つ回転又は振盪させることにより、歯牙修復用材料を構成する二成分をカプセル本体の混合区画室の内壁に衝突及び／又は内壁に沿うように移動させることによってカプセル本体の混合区画室内で間接的に二成分を混合練和する構成となっているから、その混合練和する効率が悪いという欠点があるばかりでなく、特に混合練和される混合物の粘性が高い場合には、このような間接的な混合練和の作用では、その混合練和する効率が更に悪化してしまうという欠点もあった。
【０００６】
また、このような歯牙修復材用カプセルでは、前記の如く歯牙修復用材料を構成する二成分をカプセル本体の混合区画室の内壁に衝突及び／又は内壁に沿うように移動させることによってカプセル本体の混合区画室内で間接的に歯牙修復用材料を構成する二成分を混合練和する構成となっているから、歯牙修復材用カプセルのカプセル本体の混合区画室には歯牙修復用材料を構成する二成分を混合区画室内でその内壁に衝突及び／又はその内壁に沿うように移動させるための空間が必要となる。そのためにカプセル本体の混合区画室としてこれらの二成分を単に収納するのに必要な容積と比較して大きな容積を有する混合区画室が形成された歯牙修復材用カプセルとしなければならないという欠点があるばかりでなく、歯牙修復材用カプセルの混合練和する効率を高めるには、或る程度広い空間を有する混合区画室内で歯牙修復用材料を構成する二成分がその内壁に衝突する際やその内壁に沿うように移動する際の移動量を大きくする必要があるので、これらの二成分を効率良く均一に混合練和するには更に広い空間を有する大容積の混合区画室が形成された歯牙修復材用カプセルとしなければならないという欠点もあった。
【０００７】
【特許文献１】特開２００２−１９１６２２号公報
【特許文献２】特開２００３−１６４４６９号公報
【特許文献３】特開２００１−３４０３５５号公報
【発明の開示】
【発明が解決しようとする課題】
【０００８】
本発明は、前記従来技術の欠点を解消し、二成分から成る歯科修復用材料を混合練和した後に直ちに患者の修復すべき部位に投与することが可能な歯牙修復材用カプセルであって、特にその混合練和する効率が格段に向上した新規な歯牙修復材用カプセルを提供することを課題とする。
【課題を解決するための手段】
【０００９】
本発明者らは前記課題を解決すべく鋭意研究の結果、第一成分が収納されている混合区画室を形成するカプセル本体に嵌入されるプランジャとして、カプセル本体内で回転自在且つ摺動自在であってその後端に先端側へ押圧される部位と回転力が付与される部位とが設けられ且つカプセル本体の混合区画室の中心軸線と平行に形成され同一横断面を成す形状の第二成分が収納されている収納区画室及び中心軸線と平行に形成され同一横断面を成す撹拌棒用貫通穴が穿設されているプランジャを用い、且つこのプランジャの収納区画室に、収納区画室を押し破って収納されている第二成分を混合区画室内へ導入させ且つその先端がカプセル本体の混合区画室内の先端内面に当接するか又はその先端内面近傍まで侵入せしめられるような貫通撹拌棒体が嵌入されていると共に、更にこのプランジャの撹拌棒用貫通穴に、その先端がカプセル本体の混合区画室内の先端内面に当接するか又はその先端内面近傍まで侵入した状態の撹拌専用棒体が嵌入されていれば、この貫通撹拌棒体を押圧してプランジャの収納区画室を押し破って第二成分を第一成分が収納されている混合区画室内へ導入させ且つその先端を混合区画室内の先端内面に当接するか又はその先端内面近傍まで侵入せしめると、この貫通撹拌棒体がプランジャの先端側から突き出た状態と成るばかりでなくこの撹拌専用棒体もプランジャの先端側から既に突き出た状態となっているから、このような状態でプランジャの後端に回転力を付与することによって、カプセル本体の混合区画室内の第一成分と第二成分とがプランジャから突き出た貫通撹拌棒体だけでなく撹拌専用棒体と共に直接掻き混ぜられて混合練和されるので、混合練和する効率を格段に向上させることができることを究明して本発明を完成したのである。
【００１０】
即ち本発明は、横断面内面が円形であるシリンダー状を成し、その先端側に吐出用開口破断部が形成されていると共に第一成分が収納されている混合区画室を形成するカプセル本体と、
円柱状を成し、該カプセル本体内で回転自在で且つ該カプセル本体の混合区画室内の混合物を押し出せるように該混合区画室内に摺動自在に嵌入されており、その先端の略中心位置に、該カプセル本体の吐出用開口破断部を押し破るための棒状突起が突設されていると共に、その後端に、先端側へ押圧される第一押圧部位と、該カプセル本体内で回転せしめられるための回転力が付与される回転力伝達係合部位とを有し、該第一押圧部位及び該回転力伝達係合部位から離れた位置で且つ該カプセル本体の混合区画室の中心軸線から該棒状突起の最大太さ以上円周側に離れた位置に、その後端の開口する挿入口から先端側の導入用開口破断部に至るまで同一横断面を成す形状に該カプセル本体の混合区画室の中心軸線と平行に形成され第二成分が収納されている収納区画室と、その後端から先端に至るまで同一横断面を成す形状に該カプセル本体の混合区画室の中心軸線と平行に形成された撹拌棒用貫通穴とがそれぞれ穿設されているプランジャと、
該プランジャの収納区画室に摺動自在な形状を成し、その後端の第二押圧部位が先端側へ押圧されるとその先端で該プランジャの導入用開口破断部を押し破って第二成分を前記カプセル本体の混合区画室内へ導入させ且つその先端が該カプセル本体の混合区画室の先端内面に当接するか又はその先端内面近傍まで侵入せしめられるように該プランジャの収納区画室に嵌入されている貫通撹拌棒体と、
前記プランジャの撹拌棒用貫通穴に摺動自在な形状を成し、その先端が該カプセル本体の混合区画室の先端内面に当接するか又はその先端内面近傍まで侵入した状態で該プランジャの撹拌棒用貫通穴に嵌入されている撹拌専用棒体と、
前記カプセル本体の先端部に固定又は装着され、前記プランジャの第一押圧部位が先端側へ押圧されると該プランジャの棒状突起で開口せしめられた該カプセル本体の吐出用開口破断部から該カプセル本体の混合区画室内の第一成分と第二成分とが混合練和された混合物を吐出させるノズルと、
から構成されていることを特徴とする歯牙修復材用カプセルである。
【００１１】
そして、このような本発明に係る歯牙修復材用カプセルにおいて、プランジャに複数の収納区画室及び／又は複数の撹拌棒用貫通穴が穿設されていれば、複数の貫通撹拌棒体や複数の撹拌専用棒体をプランジャに嵌入させることにより混合練和の際に複数の貫通撹拌棒体や複数の撹拌専用棒体でカプセル本体の混合区画室内の第一成分と第二成分とを混合練和することができるので、その混合練和効率を更に向上させることができて好ましく、プランジャの収納区画室及び撹拌棒用貫通穴がそれぞれの中心軸線からプランジャの中心軸線までの距離がそれぞれ異なるように穿設されていたり、プランジャの収納区画室及び撹拌棒用貫通穴がプランジャの後端側から見た際にプランジャの中心軸線に対しそれぞれ均等な角度となるような位置に穿設されていたり、プランジャがプランジャの後端側から見た際にプランジャの外周縁近傍に位置するように穿設されている収納区画室及び／又は撹拌棒用貫通穴を有していたりすれば、その混合練和効率を格段に向上させることができて好ましいことも究明したのである。
【００１２】
また、貫通撹拌棒体の先端側に、後端側よりもその横断面積が小さい横断面で且つ先端まで亘って同一の横断面である収納用細棒状部位が形成されていると共に、この貫通撹拌棒体の収納用細棒状部位の外周面とプランジャの収納区画室の内周面との間の空間に第二成分が収納されていれば、弱い押圧力であってもプランジャの収納区画室の導入用開口破断部を確実に破断させることができて好ましく、このような収納用細棒状部位を有している態様において、貫通撹拌棒体の収納用細棒状部位が、貫通撹拌棒体の第二押圧部位が先端側へ押圧されてその先端がカプセル本体の混合区画室の先端内面に当接するか又はその先端内面近傍まで侵入せしめられたときに収納用細棒状部位の後端がプランジャの収納区画室の導入用開口破断部近傍に至るような長さに形成されていると共に、プランジャの収納区画室の導入用開口破断部が収納用細棒状部位で押し破れる位置の横断面積が収納用細棒状部位の横断面積よりも僅かに大きく形成されていれば、プランジャの収納区画室内に収納されている第二成分を殆ど残存させることなくカプセル本体の混合区画室内へ確実に導入させることができて好ましいことも究明したのである。
【００１３】
更に、貫通撹拌棒体の先端側が、中実の貫通撹拌棒体の先端に斜めに切り欠かれた筒状を成し、プランジャの収納区画室の導入用開口破断部を押し破ることができ且つカプセル本体の混合区画室の先端内面に当接すると押しつぶされるような可撓性を有する材質で形成されていたり、貫通撹拌棒体の先端側に後端側よりもその横断面積が小さい横断面を有する摺動用細棒状部位が形成されていると共に、摺動用細棒状部位に、その横断面外周が貫通撹拌棒体の横断面外周と同一形状を成し且つその先端部が斜めに切り欠かれた筒状を成し、初期位置ではその斜めに切り欠かれた部位が摺動用細棒状部位の先端より突出した状態に位置し、プランジャの収納区画室の導入用開口破断部を押し破ってカプセル本体の混合区画室の先端内面に当接すると後端側へ摺動するように構成されている突き破り部が外嵌されていたりすれば、弱い押圧力であってもプランジャの収納区画室の導入用開口破断部を確実に破断させることができると共にカプセル本体の混合区画室の先端内面と貫通撹拌棒体の先端とが当接するのでカプセル本体の混合区画室内の混合物が混合区画室内に残存しない状態に押し出すことができて経済的で好ましいことも究明したのである。
【００１４】
更に、プランジャの回転力伝達係合部位が、プランジャの後端に設けられた複数の凹状部及び／又は凸状部から成るものであったり、プランジャの回転力伝達係合部位が、プランジャの後端で且つカプセル本体の混合区画室の中心軸線と一致する位置に設けられた横断面が円形以外の凹状部又は凸状部から成るものであったりすれば、確実にプランジャを回転させることができて好ましく、プランジャの回転力伝達係合部位が第一押圧部位をも兼ねていれば、プランジャを回転させるための回転力が付与される部位とプランジャを先端側へ押圧するための押圧力が付与される部位とを１つに統合することができて好ましいことも究明したのである。
【発明の効果】
【００１５】
本発明に係る歯牙修復材用カプセルは、前記した構成より成るものであるから、貫通撹拌棒体を押圧してプランジャの収納区画室を押し破って第二成分を第一成分が収納されているカプセル本体の混合区画室内へ導入させ且つその先端を混合区画室内の先端内面に当接するか又はその先端内面近傍まで侵入せしめた後に、この貫通撹拌棒体がプランジャから突き出た状態と成るばかりでなく、更にプランジャの撹拌棒用貫通穴に嵌入されている撹拌専用棒体もプランジャから突き出た状態と成っているので、このような状態でプランジャの回転力伝達係合部位に回転力を付与することによって、カプセル本体の混合区画室内の第一成分と第二成分とがプランジャから突き出た貫通撹拌棒体だけでなく、更にプランジャから突き出た撹拌専用棒体により直接掻き混ぜられるようにして混合練和されるため、混合練和する効率を格段に向上させることができるだけでなく、第一成分と第二成分とを混合練和する際にカプセル本体の混合区画室内でプランジャから突き出た貫通撹拌棒体及び撹拌専用棒体がプランジャの中心軸線を中心として公転するように回動せしめられるから、この貫通撹拌棒体及び撹拌専用棒体によりカプセル本体の混合区画室で両成分を直接剪断するような力が加わるので、両成分を効果的に均一に混合練和せしめて良質な混合物を得ることができる。
【００１６】
そして、本発明に係る歯牙修復材用カプセルは、前記の如くプランジャから突き出た貫通撹拌棒体及び撹拌専用棒体によりカプセル本体の混合区画室内で第一成分と第二成分との両成分を直接掻き混ぜることにより混合練和する構成となっているから、歯牙修復材用カプセル自体を回転又は振盪させることにより混合練和する従来の歯牙修復材用カプセルでは、カプセル本体の混合区画室が両成分をその内壁に衝突及び／又はその内壁に沿うように移動させるための空間を必要としていたのに対し、本発明に係る歯牙修復材用カプセルではそのような空間を一切必要としないので、カプセル本体の混合区画室の容量を可級的に小さくすることができる。
【００１７】
また、本発明に係る歯牙修復材用カプセルは、前記の如くプランジャから突き出た貫通撹拌棒体及び撹拌専用棒体によりカプセル本体の混合区画室内で第一成分と第二成分との両成分を直接掻き混ぜることにより混合練和する構成となっているから、歯牙修復材用カプセル自体を回転又は振盪させることにより混合練和する従来の歯牙修復材用カプセルと比較して、カプセル本体内の両成分を混合練和する際に用いられる歯牙修復材用カプセル用練和装置を小型化することが可能であると共に、このように歯牙修復材用カプセル用練和装置を小型化することによって、本発明に係る歯牙修復材用カプセルを装着してカプセル本体内の混合物をノズルを介して歯牙の窩洞等の修復すべき部位に直接押し出して投与するために用いられる押出し装置に、この歯牙修復材用カプセル用練和装置を組み込んで、歯牙修復材用カプセル用練和装置と押出し装置とを一体化することも可能なのである。
【００１８】
そして、このような本発明に係る歯牙修復材用カプセルにおいて、プランジャに複数の収納区画室及び／又は複数の撹拌棒用貫通穴が穿設されていれば、複数の貫通撹拌棒体や複数の撹拌専用棒体をプランジャに嵌入させることにより混合練和の際に複数の貫通撹拌棒体や複数の撹拌専用棒体でカプセル本体の混合区画室内の第一成分と第二成分とを混合練和することができるので、その混合練和効率を更に向上させることができて好ましく、またプランジャの収納区画室及び撹拌棒用貫通穴がそれぞれの中心軸線からプランジャの中心軸線までの距離がそれぞれ異なるように穿設されていれば、１つ又は複数の貫通撹拌棒体や１つ又は複数の撹拌専用棒体がプランジャの中心軸線を中心としそれぞれ異なった位置で公転するように回動せしめられるので、その混合練和効率を格段に向上させることができて好ましく、更にプランジャの収納区画室及び撹拌棒用貫通穴がプランジャの後端側から見た際にプランジャの中心軸線に対しそれぞれ均等な角度となるような位置に穿設されていれば、カプセル本体の混合区画室内の両成分に均一な掻き混ぜ力を付与することができるので、その混合練和効率を格段に向上させることができて好ましく、更にプランジャがプランジャの後端側から見た際にプランジャの外周縁近傍に位置するように穿設されている収納区画室及び／又は撹拌棒用貫通穴を有していれば、カプセル本体の混合区画室内の両成分に大きな掻き混ぜ力を与えることができるので、その混合練和効率を格段に向上させることができて好ましい。
【００１９】
また、貫通撹拌棒体の先端側に、後端側よりもその横断面積が小さい横断面で且つ先端まで亘って同一の横断面である収納用細棒状部位が形成されていると共に、貫通撹拌棒体の収納用細棒状部位の外周面とプランジャの収納区画室の内周面との間の空間に第二成分が収納されていれば、弱い押圧力であってもプランジャの収納区画室の導入用開口破断部を確実に破断させることができて好ましいばかりでなく、比較的少ない摺動距離でプランジャの収納区画室の導入用開口破断部へ至ることができるので、収納区画室の導入用開口破断部を素早く破断させることもできて好ましく、このような収納用細棒状部位を有している態様において、貫通撹拌棒体の収納用細棒状部位が、貫通撹拌棒体の第二押圧部位が先端側へ押圧されてその先端がカプセル本体の混合区画室の先端内面に当接するか又はその先端内面近傍まで侵入せしめられたときに収納用細棒状部位の後端がプランジャの収納区画室の導入用開口破断部近傍に至るような長さに形成されていると共に、プランジャの収納区画室の導入用開口破断部が収納用細棒状部位で押し破れる位置の横断面積が収納用細棒状部位の横断面積よりも僅かに大きく形成されていれば、プランジャの収納区画室内に収納されている第二成分を殆ど残存させることなくカプセル本体の混合区画室内へ確実に導入させることができて好ましいばかりでなく、プランジャの収納区画室の導入用開口破断部の横断面積が収納用細棒状部位の横断面積よりも僅かに大きく形成されているから、プランジャの第一押圧部位を先端側へ押圧して混合練和された混合物を吐出させる際に、混合物がプランジャの収納区画室内へ逆流することがないので、混合練和された混合物を無駄なく使用に供させることができて好ましい。
【００２０】
更に、貫通撹拌棒体の先端側が、中実の貫通撹拌棒体の先端に斜めに切り欠かれた筒状を成し、プランジャの収納区画室の導入用開口破断部を押し破ることができ且つカプセル本体の混合区画室の先端内面に当接すると押しつぶされるような可撓性を有する材質で形成されていたり、貫通撹拌棒体の先端側に後端側よりもその横断面積が小さい横断面を有する摺動用細棒状部位が形成されていると共にこの摺動用細棒状部位に、その横断面外周が貫通撹拌棒体の横断面外周と同一形状を成し且つその先端部が斜めに切り欠かれた筒状を成し、初期位置ではその斜めに切り欠かれた部位が摺動用細棒状部位の先端より突出した状態に位置し、プランジャの収納区画室の導入用開口破断部を押し破ってカプセル本体の混合区画室の先端内面に当接すると後端側へ摺動するように構成されている突き破り部が外嵌されていたりすれば、弱い押圧力であってもプランジャの収納区画室の導入用開口破断部を確実に破断させることができて好ましいばかりでなく、貫通撹拌棒体の先端をカプセル本体の混合区画室内の先端内面に当接するまで確実に侵入させることができるので、その混合練和効率を格段に向上させることができると共にカプセル本体の混合区画室の先端内面と貫通撹拌棒体の先端とが当接するのでカプセル本体の混合区画室内の混合物が混合区画室内に残存しない状態に押し出すことができて経済的で好ましい。
【００２１】
更に、プランジャの回転力伝達係合部位が、プランジャの後端に設けられた複数の凹状部及び／又は凸状部から成るものであったり、プランジャの後端で且つカプセル本体の混合区画室の中心軸線と一致する位置に設けられた横断面が円形以外の凹状部又は凸状部から成るものであったりすれば、確実にプランジャを回転させることができて好ましいばかりでなく、そしてプランジャの回転力伝達係合部位が複数の駆動用係合部から成る態様の場合には、例えばこの複数の駆動用係合部に係合可能な凹状及び／又は凸状が設けられた係合用部材を駆動手段の軸に装着し、この係合用部材の凹状及び／又は凸状を回転力伝達係合部位の複数の駆動用係合部に挿入係合させて回転させるものであるから、係合用部材と回転力伝達係合部位との係合力が比較的弱くても回転力伝達係合部位を回転させることができるので、回転力伝達係合部位への駆動手段の脱着を簡便にすることができて好ましく、また回転力伝達係合部位がプランジャの中心軸線と一致する位置に設けられた横断面が円形以外の凹状又は凸状である場合には、例えばこの回転力伝達係合部位の凹状に直接駆動手段の軸を嵌入させたり、この回転力伝達係合部位の凸状を直接駆動手段の軸の先端に穿設された凹状部に嵌入させたりするものであるから、回転力伝達係合部位の構造を簡単にすることができるので好ましく、それぞれ状況に合わせて適宜選択すればよい。
【００２２】
更に、プランジャの回転力伝達係合部位が、第一押圧部位をも兼ねていれば、プランジャを回転させるための回転力が付与される部位とプランジャを先端側へ押圧するための押圧力が付与される部位とを１つに統合することができて好ましいばかりでなく、例えば前記の如き歯牙修復材用カプセル用練和装置と押出し装置とを一体化した装置として、前後へ摺動することによりプランジャの第一押圧部位を先端側へ押圧することが可能な構成の回転駆動軸が組み込まれたものを用いることによって、第一成分と第二成分との混合練和させる操作及び混合物の歯牙の窩洞等の修復すべき部位への押し出す操作とを行うに際し、この装置の回転駆動軸を第一押圧部位をも兼ねている回転力伝達係合部位に係合させることにより円滑に行うことができて好ましいばかりでなく、第一成分と第二成分とを混合練和させる操作及び混合物の歯牙の窩洞等の修復すべき部位への押し出す操作を同一の回転駆動軸により行うことが可能となるのでこのような装置自体も簡便なものとすることができて好ましい。
【発明を実施するための最良の形態】
【００２３】
以下、図面により本発明に係る歯牙修復材用カプセルについて詳細に説明する。
図１は本発明に係る歯牙修復材用カプセルの１実施例を示す説明用側断面図、図２は図１の説明用背面図、図３は図１に示す歯牙修復材用カプセルにおいて貫通撹拌棒体を先端側へ押圧することにより貫通撹拌棒体でプランジャの収納区画室の導入用開口破断部を押し破って第二成分をカプセル本体の混合区画室内へ導入させ且つ貫通撹拌棒体の先端をカプセル本体の混合区画室内の先端内面近傍まで侵入せしめた状態を示す説明用側断面図、図４は図３に示す歯牙修復材用カプセルにおいてプランジャの回転力伝達係合部位に回転力が付与されることによりカプセル本体の混合区画室内で第一成分と第二成分とを貫通撹拌棒体及び撹拌専用棒体で混合練和した後に、プランジャの第一押圧部位を先端側へ押圧することによりプランジャの棒状突起で開口せしめられたカプセル本体の吐出用開口破断部からカプセル本体の混合区画室内の混合物をノズルから吐出させた状態を示す説明用側断面図、図５は本発明に係る歯牙修復材用カプセルの他の実施例を示す説明用側断面図、図６は図５の説明用背面図、図７は本発明に係る歯牙修復材用カプセルにおける貫通撹拌棒体の先端側の１例を示す説明用斜視図、図８は図７の説明用側断面図、図９は本発明に係る歯牙修復材用カプセルにおける貫通撹拌棒体の先端側の他の例を示す説明用側面図、図１０は図９の説明用側断面図である。
【００２４】
図面中、１は横断面内面が円形であるシリンダー状を成し、その先端側に吐出用開口破断部1aが形成されていると共に第一成分Ａが収納されている混合区画室1bを形成するカプセル本体であり、その先端部に混合区画室1b内の混合物Ｃを吐出させるための後述するノズル５が固定又は装着されていると共に、その後端側より後述するプランジャ２が回転自在で且つ摺動自在に嵌入され、そのシリンダー内に嵌入されたプランジャ２の先端側に形成される混合区画室1b内で第一成分Ａと第二成分Ｂとが混合練和されて混合物Ｃと成るのである。
【００２５】
このカプセル本体１は、その後端側より摺動自在に嵌入される後述するプランジャ２がそのシリンダー内においてプランジャ２の中心軸線を中心として回転せしめられるため、図２及び図６に示す如くその横断面内面が円形である必要があり、そしてカプセル本体１の外周面には、図１及び図３〜図５に示す如くカプセル本体１を歯牙修復材用カプセル用練和装置や押出し装置に装着するための係合部（例えば、カプセル本体１の外周面後端側に形成された溝部の如き係合部）が形成されていることが好ましい。この係合部は、後述するプランジャ２の回転力伝達係合部位2cに回転力を付与してプランジャ２と共に後述する貫通撹拌棒体３及び後述する撹拌専用棒体４を回転させた際に、カプセル本体１自体がプランジャ２，貫通撹拌棒体３や撹拌専用棒体４と共に回転してしまわないように、カプセル本体１をプランジャ２の回転力伝達係合部位2cに付与される回転力に抗して係止できる形状であることが好ましい。
【００２６】
そして、カプセル本体１の先端側には、吐出用開口破断部1aが形成されており、この吐出用開口破断部1aは、混合区画室1b内で第一成分Ａと第二成分Ｂとが混合練和されることにより得られた混合物Ｃを後述するノズル５を介して吐出させる際に、後述するプランジャ２の棒状突起2aによって押し破られることにより混合区画室1bとノズル５とを連通させるものであり、この吐出用開口破断部1aとしては、例えば図１及び図３〜図５に示す如く吐出用開口破断部1aを囲む線状の部位が一部を残して薄く形成されていれば、吐出用開口破断部1aを後述するプランジャ２の棒状突起2aで押し破る際に、厚い方の線状の部位を残して他の線状の部位が破断されるので、薄い方の線状の部位を弱い力で容易に破断でき、且つ吐出用開口破断部1aがカプセル本体１より完全に離脱して混合物Ｃ中に混入してしまうことを防止することができて好ましい。
【００２７】
このカプセル本体１の先端部には、破断された吐出用開口破断部1aより吐出される混合区画室1b内の混合物Ｃを患者の修復すべき部位に直接投与するための後述するノズル５が固定又は装着されており、このカプセル本体１の先端部の形状としては、ノズル５が固定又は装着できるような形状であって且つ吐出用開口破断部1aより吐出される混合物Ｃが外部へ漏れないようにノズル５内へ流入させることができる形状に形成されていれば特に限定されない。
【００２８】
２は円柱状を成し、カプセル本体１内で回転自在で且つカプセル本体１の混合区画室1b内の混合物Ｃを押し出せるように混合区画室1b内に摺動自在に嵌入されており、その先端の略中心位置に、カプセル本体１の吐出用開口破断部1aを押し破るための棒状突起2aが突設されていると共に、その後端に、先端側へ押圧される第一押圧部位2bと、カプセル本体１内で回転せしめられるための回転力が付与される回転力伝達係合部位2cとを有し、第一押圧部位2b及び回転力伝達係合部位2cから離れた位置で且つカプセル本体１の混合区画室1bの中心軸線から棒状突起2aの最大太さ以上円周側に離れた位置に、その後端の開口する挿入口2daから先端側の導入用開口破断部2dbに至るまで同一横断面を成す形状にカプセル本体１の混合区画室1bの中心軸線と平行に形成され第二成分Ｂが収納されている収納区画室2dと、その後端から先端に至るまで同一横断面を成す形状にカプセル本体１の混合区画室1bの中心軸線と平行に形成された撹拌棒用貫通穴2eとがそれぞれ穿設されているプランジャであり、その収納区画室2dの後端の挿入口2daに嵌入された後述する貫通撹拌棒体３が先端側へ摺動されることによって、その収納区画室2dの先端側の導入用開口破断部2dbが押し破られて収納区画室2dに収納されている第二成分Ｂを第一成分Ａが収納されているカプセル本体１の混合区画室1b内へ導入させると共に、貫通撹拌棒体３が更に先端側へ摺動されることにより貫通撹拌棒体３の先端がカプセル本体１の混合区画室1bの先端内面に当接するか又はその先端内面近傍まで侵入した状態で、且つその撹拌棒用貫通穴2eに嵌入されている後述する撹拌専用棒体４がその先端をカプセル本体１の混合区画室1bの先端内面に当接するか又はその先端内面近傍まで侵入した状態で、その回転力伝達係合部位2cに回転力が付与されると、プランジャ２の先端面より突出した貫通撹拌棒体３及び撹拌専用棒体４と共に回転せしめられて、カプセル本体１の混合区画室1b内の第一成分Ａと第二成分Ｂとを混合練和して混合物Ｃとする役目を果たす。
【００２９】
このプランジャ２は、図１及び図３〜図５に示す如く第一成分Ａが収納されているカプセル本体１の混合区画室1b内にカプセル本体１の開口した後端側より回転自在で且つカプセル本体１の混合区画室1b内の混合物Ｃを押し出せるように摺動自在に嵌入されており、その先端の略中心位置に、カプセル本体１の吐出用開口破断部1aを押し破るための棒状突起2aが突設されていると共に、その後端に、先端側へ押圧される第一押圧部位2bと、カプセル本体１内で回転せしめられるための回転力が付与される回転力伝達係合部位2cとを有し、このプランジャ２の回転力伝達係合部位2cに回転力が付与されることにより、そのプランジャ２の先端面より突出した後述する貫通撹拌棒体３及びその撹拌棒用貫通穴2eの先端側より突出した撹拌専用棒体４と共に回転せしめられてカプセル本体１の混合区画室1b内で第一成分Ａと第二成分Ｂとを混合練和して混合物Ｃを得た後に、このプランジャ２の第一押圧部位2bが先端側へ押圧されると、図４に示す如く棒状突起2aでカプセル本体１の混合区画室1bの吐出用開口破断部1aを押し破って混合区画室1bの先端側を後述するノズル５内へと開口させた後に、プランジャ２の先端面で混合区画室1b内の混合練和された混合物Ｃを押し出してノズル５を介して外方へ吐出させるのである。
【００３０】
このプランジャ２の棒状突起2aが、プランジャ２の先端の略中心位置に突設されているのは、若し仮に棒状突起2aがプランジャ２の先端の中心位置以外の位置、例えばプランジャ２の先端側から見た際にプランジャ２の外周縁近傍の位置に突設されているとすると、プランジャ２の回転力伝達係合部位2cに回転力を付与してプランジャ２をその中心軸線を中心として回転させた後に、棒状突起2aが突設されている位置が回転前の初期位置からプランジャ２の外周縁近傍の中心軸線を中心とした円周上の別の位置にズレてしまうため、プランジャ２の第一押圧部位2bを先端側へ押圧しても、カプセル本体１の混合区画室1bの吐出用開口破断部1aを押し破ることができなくなってしまう事態が発生するので、プランジャ２の回転後において常に棒状突起2aで正確に吐出用開口破断部1aを押し破ることができるように、プランジャ２の回転前及び回転後においてもその突設位置が殆ど変ることがないプランジャ２の先端の略中心位置に棒状突起2aが突設されているのである。
【００３１】
そして、このプランジャ２はその後端に第一押圧部位2bを有しており、このプランジャ２の第一押圧部位2bは、図４に示す如くカプセル本体１の混合区画室1b内の混合物Ｃを押し出して後述するノズル５を介して外方へ吐出させる際に先端側へ押圧される部位であり、この第一押圧部位2bとしては、後述する貫通撹拌棒体３や撹拌専用棒体４等に邪魔されることなくプランジャ２の後端を先端側へ押圧可能なものであれば何でもよい。
【００３２】
具体的には、図５及び図６に示す如くプランジャ２の後端面であって後述する貫通撹拌棒体３が嵌入されている収納区画室2d、後述する撹拌専用棒体４が嵌入されている撹拌棒用貫通穴2e及び回転力伝達係合部位2cが存在する部位以外の部位を第一押圧部位2bとして利用してもよいが、図１〜図４に示す如くプランジャ２の回転力伝達係合部位2cが第一押圧部位2bをも兼ねていれば、プランジャ２を回転させるための回転力が付与される部位とプランジャ２を先端側へ押圧するための押圧力が付与される部位とを１つに統合することができて好ましいばかりでなく、例えば歯牙修復材用カプセル用練和装置と押出し装置とを一体化した装置として、前後へ摺動することによりプランジャ２の第一押圧部位2bを先端側へ押圧することが可能な構成の回転駆動軸が組み込むまれたもの用いることによって、第一成分Ａと第二成分Ｂとの混合練和させる操作及び混合物Ｃの歯牙の窩洞等の修復すべき部位への押し出す操作とを行うに際し、この装置の回転駆動軸を第一押圧部位2bをも兼ねている回転力伝達係合部位2cに係合させることにより円滑に行うことができると共に、第一成分Ａと第二成分Ｂとの混合練和させる操作及び混合物Ｃの歯牙の窩洞等の修復すべき部位への押し出す操作が同一の回転駆動軸により行うことが可能となるのでこのような装置自体も簡便なものとすることができて好ましい。
【００３３】
また、このプランジャ２はその後端にカプセル本体１内で回転せしめられるための回転力が付与される回転力伝達係合部位2cをも有しており、このプランジャ２の回転力伝達係合部位2cは、図３に示す如くプランジャ２の先端面より後述する貫通撹拌棒体３及び撹拌専用棒体４が突出した状態で、回転力を付与されることによりカプセル本体１内でプランジャ２をその中心軸線を中心として回転せしめることによって、貫通撹拌棒体３及び撹拌専用棒体４を、プランジャ２の回転に伴ってプランジャ２の中心軸線を中心として公転するように混合区画室1b内で回動せしめて、混合区画室1b内の第一成分Ａと第二成分Ｂとを混合練和させて混合物Ｃとするものであり、この回転力伝達係合部位2cとしては、少なくともカプセル本体１内でプランジャ２をその中心軸線を中心として回転せしめるようにプランジャ２に回転力を付与することができる構成のものであれば何でもよい。
【００３４】
具体的には、このプランジャ２の回転力伝達係合部位2cとしては、例えば図５及び図６に示す如くランジャ２の回転力伝達係合部位2cがプランジャ２の後端に設けられた複数の凹状部及び／又は凸状部から成るものや、図１〜図４に示す如くプランジャ２の回転力伝達係合部位2cが、プランジャ２の後端で且つカプセル本体１の混合区画室1bの中心軸線と一致する位置に設けられた横断面が円形以外の凹状部又は凸状部から成るもの等が存在する。
【００３５】
そして、前者の回転力伝達係合部位2cが複数の凹状部及び／又は凸状部から成る態様の場合には、複数の凹状部及び／又は凸状部に係合可能な凸状及び／又は凹状が設けられた係合用部材を駆動手段の軸に装着し、この係合用部材の凸状及び／又は凹状を回転力伝達係合部位2cの複数の凹状部及び／又は凸状部に挿入係合させて回転させるものであるから、係合用部材と回転力伝達係合部位2cとの係合力が比較的弱くても回転力伝達係合部位2cを回転させることができるから、回転力伝達係合部位2cへの駆動手段の脱着を簡便にすることができて好ましい。
【００３６】
一方、後者の回転力伝達係合部位2cがカプセル本体１の混合区画室1bの中心軸線と一致する位置に設けられた横断面が円形以外の凹状部又は凸状部から成る態様の場合には、回転力伝達係合部位2cの凹状部分に直接駆動手段の軸を嵌入させたり、この回転力伝達係合部位2cの凸状部分を直接駆動手段の軸の先端に穿設された凹状部分に嵌入させたりするものであるから、回転力伝達係合部位2cの構造を簡単することができるので好ましいばかりでなく、図１〜図４に示す如くこのような態様において更にプランジャ２の回転力伝達係合部位2cが第一押圧部位2bをも兼ねている態様の場合には、例えば前記の如き前後へ摺動することによりプランジャ２の第一押圧部位2bを先端側へ押圧することが可能な構成の回転駆動軸が組み込まれた装置を用いた場合に、回転駆動軸を係合させ易くすることができて好ましいと共にその回転駆動軸の形状を簡単にすることができて好ましい。
【００３７】
そして、このプランジャ２には、図１及び図３〜図５に示す如く第一押圧部位2b及び回転力伝達係合部位2cから離れた位置で且つカプセル本体１の混合区画室1bの中心軸線から棒状突起2aの最大太さ以上円周側に離れた位置に、その後端の開口する挿入口2daから先端側の導入用開口破断部2dbに至るまで同一横断面を成す形状にカプセル本体１の混合区画室1bの中心軸線と平行に形成され第二成分Ｂが収納されている収納区画室2dが穿設されており、この収納区画室2dは、第二成分Ｂが収納された状態で収納区画室2dの後端の挿入口2daから後述する貫通撹拌棒体３が先端側へ摺動自在に嵌入されることにより、図１に示す如くその収納区画室2d内で第二成分Ｂを外部に漏れることなく収納し、そしてこの貫通撹拌棒体３が先端側へ押圧されることによって、図３に示す如くその先端側の導入用開口破断部2dbが押し破られて収納されていた第二成分Ｂを第一成分Ａが収納されているカプセル本体１の混合区画室1b内へ導入させると共に、この貫通撹拌棒体３の先端がカプセル本体１の混合区画室1bの先端内面に当接するか又はその先端内面近傍まで侵入するに至るまで押圧された後において、プランジャ２の回転力伝達係合部位2cに回転力が付与されることによりプランジャ２がその中心軸線を中心として混合区画室1b内で回転せしめられた際に、この収納区画室2dに嵌入された貫通撹拌棒体３がプランジャ２の先端面から突き出した状態で且つ後述する撹拌専用棒体４もプランジャ２の先端面から突き出した状態で、プランジャ２と一体を成して混合区画室1b内でプランジャ２の中心軸線を中心として公転するように回動せしめられるのである。
【００３８】
このプランジャ２の収納区画室2dとしては、後端に開口する挿入口2daから先端側の導入用開口破断部2dbに至るまで同一横断面を成すものであれば、どのような形状の横断面となっていてもよいが、この収納区画室2dに収納された第二成分Ｂが外部へ漏れ出ないようにするために、少なくともこの収納区画室2dに嵌入される後述する貫通撹拌棒体３の横断面形状に対応した横断面であって貫通撹拌棒体３が摺動自在に嵌入できるような形状に形成されている必要があり、そしてこの収納区画室2dの先端側に形成される導入用開口破断部2dbとしては、例えば図１及び図３〜図５に示す如く導入用開口破断部2dbを囲む線状の部位が一部を残して薄く形成されていれば、導入用開口破断部2dbを後述する貫通撹拌棒体３の先端で押し破る際に、厚い方の線状の部位を残して他の線状の部位が破断されるので、薄い方の線状の部位を弱い力で容易に破断でき、且つ導入用開口破断部2dbがプランジャ２より完全に離脱してカプセル本体１の混合区画室1b内に混入してしまうことを防止することができて好ましい。
【００３９】
また、このプランジャ２には、図１及び図３〜図５に示す如く第一押圧部位2b及び回転力伝達係合部位2cから離れた位置で且つカプセル本体１の混合区画室1bの中心軸線から棒状突起2aの最大太さ以上円周側に離れた位置に、その後端から先端に至るまで同一横断面を成す形状にカプセル本体１の混合区画室1bの中心軸線と平行に形成された撹拌棒用貫通穴2eも前記収納区画室2dと共に穿設されており、この撹拌棒用貫通穴2eには、後述する撹拌専用棒体４がその先端がカプセル本体１の混合区画室1bの先端内面に当接するか又はその先端内面近傍まで侵入した状態で嵌入されており、図３に示す状態でプランジャ２の回転力伝達係合部位2cに回転力が付与されることによりプランジャ２がその中心軸線を中心として混合区画室1b内で回転せしめられた際に、この撹拌棒用貫通穴2eに嵌入された後述する撹拌専用棒体４がプランジャ２の先端面から突き出し且つ後述する貫通撹拌棒体３もプランジャ２の先端面から突き出した状態で、プランジャ２と一体を成して混合区画室1b内でプランジャ２の中心軸線を中心として公転するように回動せしめられるのである。
【００４０】
そして、このようにプランジャ２の撹拌棒用貫通穴2eか存在することにより、カプセル本体１の混合区画室1b内の第一成分Ａと第二成分Ｂとを混合練和の際に、後述する貫通撹拌棒体３だけでなく後述する撹拌専用棒体４によっても混合練和することができるので、その混合練和効率を格段に向上させることができるばかりでなく、プランジャ２に、その先端側に導入用開口破断部2dbを有し且つ第二成分Ｂが収納されている収納区画室2dを形成するのに比して、単に後端から先端に至るまで同一横断面を成す形状の撹拌棒用貫通穴2eを形成する方が簡単で且つ製作コストが安価であるから、例えば１つの後述する貫通撹拌棒体３，１つの後述する撹拌専用棒体４，及び１つの収納区画室2dと１つの撹拌棒用貫通穴2eとが穿設されたプランジャ２とを用いた場合には、２つの貫通撹拌棒体３及び２つの収納区画室2dが穿設されたプランジャ２を用いた場合と比較して、その高い混合練和効率を維持した状態でその製作コストを安価にすることができる。
【００４１】
これらの収納区画室2d及び撹拌棒用貫通穴2eが、プランジャ２の第一押圧部位2b及び回転力伝達係合部位2cから離れた位置に穿設されている必要があるのは、収納区画室2dには後述する貫通撹拌棒体３がそして撹拌棒用貫通穴2eには後述する撹拌専用棒体４がそれぞれ嵌入されているから、貫通撹拌棒体３及び撹拌専用棒体４を押圧したり回転力を付与することができないためであり、一方これらの収納区画室2d及び撹拌棒用貫通穴2eがカプセル本体１の混合区画室1bの中心軸線からプランジャ２の棒状突起2aの最大太さ以上円周側に離れて穿設されている必要があるのは、貫通撹拌棒体３及び撹拌専用棒体４が、プランジャ２の先端の略中心位置に突設された棒状突起2aに干渉しないようにするためである。
【００４２】
そして、これらの収納区画室2d及び撹拌棒用貫通穴2eとしては、例えば図１〜図４に示す如くプランジャ２にそれぞれ１つづつだけ穿設されていてもよいが、図５及び図６に示す如くプランジャ２に複数の収納区画室2d及び／又は複数の撹拌棒用貫通穴2eが穿設されていれば、複数の貫通撹拌棒体３や複数の撹拌専用棒体４をプランジャ２に嵌入させることにより混合練和の際に複数の貫通撹拌棒体３や複数の撹拌専用棒体４でカプセル本体１の混合区画室1b内の第一成分Ａと第二成分Ｂとを混合練和することができるので、その混合練和効率を更に向上させることができて好ましく、また図５及び図６に示す如くプランジャ２の収納区画室2d及び撹拌棒用貫通穴2eがそれぞれの中心軸線からプランジャ２の中心軸線までの距離がそれぞれ異なるように穿設されていれば、１つ又は複数の貫通撹拌棒体３や１つ又は複数の撹拌専用棒体４がプランジャ２の中心軸線を中心としそれぞれ異なった位置で公転するように回動せしめられるので、その混合練和効率を格段に向上させることができて好ましく、更に図５及び図６に示す如くプランジャ２の収納区画室2d及び撹拌棒用貫通穴2eがプランジャ２の後端側から見た際にプランジャ２の中心軸線に対しそれぞれ均等な角度となるような位置に穿設されていれば、カプセル本体１の混合区画室1b内の第一成分Ａと第二成分Ｂとに均一な掻き混ぜ力を付与することができるので、その混合練和効率を格段に向上させることができて好ましく、更に図１〜図６に示す如くプランジャ２がプランジャ２の後端側から見た際にプランジャ２の外周縁近傍に位置するように穿設されている収納区画室2d及び／又は撹拌棒用貫通穴2eを有していれば、カプセル本体１の混合区画室1b内の第一成分Ａと第二成分Ｂとに大きな掻き混ぜ力を与えることができるので、その混合練和効率を格段に向上させることができて好ましい。
【００４３】
３はプランジャ２の収納区画室2dに摺動自在な形状を成し、その後端の第二押圧部位3aが先端側へ押圧されるとその先端でプランジャ２の収納区画室2dの導入用開口破断部2dbを押し破って第二成分Ｂを前記カプセル本体１の混合区画室1b内へ導入させ且つその先端がカプセル本体１の混合区画室1bの先端内面に当接するか又はその先端内面近傍まで侵入せしめられるようにプランジャ２の収納区画室2dに嵌入されている貫通撹拌棒体であり、その後端の第二押圧部位3aが先端側へ押圧されることにより、その先端でプランジャ２の収納区画室2dの導入用開口破断部2dbを押し破って第二成分Ｂをカプセル本体１の混合区画室1b内へ導入させると共に、第二押圧部位3aが更に先端側へ押圧されてプランジャ２の収納区画室2d内を摺動してその先端がカプセル本体１の混合区画室1bの先端内面に当接するか又はその先端内面近傍まで侵入せしめられた状態で、後述する回転力伝達係合部位2cに回転力が付与されることによりプランジャ２がその中心軸線を中心として回転せしめられると、貫通撹拌棒体３がプランジャ２の先端面から突き出した状態で、且つ後述する撹拌専用棒体４もプランジャ２の先端面から突き出した状態で、プランジャ２と一体を成して混合区画室1b内でプランジャ２の中心軸線を中心として公転するように回動せしめられることにより、後述する撹拌専用棒体４と共にカプセル本体１の混合区画室1b内の第一成分Ａと第二成分Ｂを直接撹拌するようにして混合練和する役目を果たす。
【００４４】
この貫通撹拌棒体３は、図１〜図６に示す如くプランジャ２の収納区画室2dに摺動自在に嵌入可能な形状、即ちその横断面がプランジャ２の収納区画室2dの横断面に対応した形状を成していればよく、そしてこの貫通撹拌棒体３の長手方向の長さとしては、プランジャ２がカプセル本体１内で先端側へ押圧される前の初期位置に位置している際において、貫通撹拌棒体３を先端側へ押圧してその先端でプランジャ２の収納区画室2dの導入用開口破断部2dbを押し破った後に、更に先端側へ押圧しこれ以上先端側へ摺動することができなくなるまで、即ち直接的又は間接的に位置規制されることにより先端側へこれ以上摺動できなくなるまで押圧したときに、少なくともその先端がカプセル本体１の混合区画室1bの先端内面に当接するか又はその先端内面近傍まで侵入できるような長さ以上の長さを有していればよいのである。
【００４５】
そして、この貫通撹拌棒体３は、その先端でプランジャ２の収納区画室2dの導入用開口破断部2dbを押し破るものであり、この貫通撹拌棒体３の先端側の形状としては、収納区画室2dの導入用開口破断部2dbを押し破ることができる形状のものであれば特に限定されないが、例えば導入用開口破断部2dbが前述の如く導入用開口破断部2dbを囲む線状の部位が一部を残して薄く形成されている態様の場合には、導入用開口破断部2dbを貫通撹拌棒体３の先端で押し破る際に、厚い方の線状の部位を残して他の線状の部位が弱い力で容易に破断できるので、この貫通撹拌棒体３の先端側の形状として中実な棒状体より成る貫通撹拌棒体３の先端が単に軸心と垂直な方向に切られたような形状や丸みを帯びたような形状であってもよく、また図５及び図６に示す如くこの貫通撹拌棒体３が中実な棒状体より成る貫通撹拌棒体３の先端が斜めに切り欠かれた鋭利な形状のものであれば、収納区画室2dの導入用開口破断部2dbを確実に押し破ることができて好ましい。
【００４６】
そして、貫通撹拌棒体３の先端側に、図１〜図４に示す如く後端側よりもその横断面積が小さい横断面で且つ先端まで亘って同一の横断面である収納用細棒状部位3bが形成されていると共に、貫通撹拌棒体３の収納用細棒状部位3bの外周面とプランジャ２の収納区画室2dの内周面との間の空間に第二成分Ｂが収納されていれば、弱い押圧力であってもプランジャ２の収納区画室2dの導入用開口破断部2dbを確実に破断させることができて好ましいばかりでなく、比較的少ない摺動距離でプランジャ２の収納区画室2dの導入用開口破断部2dbへ至ることができるので、収納区画室2dの導入用開口破断部2dbを素早く破断させることもできて好ましい。
【００４７】
そして、このような収納用細棒状部位3bを形成されている態様において、図１〜図４に示す如く貫通撹拌棒体３の収納用細棒状部位3bが、貫通撹拌棒体３の第二押圧部位3aが先端側へ押圧されてその先端がカプセル本体１の混合区画室1bの先端内面に当接するか又はその先端内面近傍まで侵入せしめられたときに収納用細棒状部位3bの後端がプランジャ２の収納区画室2dの導入用開口破断部2db近傍に至るような長さに形成されていると共に、プランジャ２の収納区画室2dの導入用開口破断部2dbが収納用細棒状部位3bで押し破れる位置の横断面積が収納用細棒状部位3bの横断面積よりも僅かに大きく形成されていれば、プランジャ２の収納区画室2d内に収納されている第二成分Ｂを殆ど残存させることなくカプセル本体１の混合区画室1b内へ確実に導入させることができて好ましいばかりでなく、プランジャ２の収納区画室2dの導入用開口破断部2dbの横断面積が収納用細棒状部位3bの横断面積よりも僅かに大きく形成されているから、プランジャ２の第一押圧部位2bを先端側へ押圧して混合練和された混合物Ｃを吐出させる際に、混合物Ｃがプランジャ２の収納区画室2d内へ逆流することがないので、混合練和された混合物Ｃを無駄なく使用に供させることができて好ましい。
【００４８】
更に、図７及び図８に示す如く貫通撹拌棒体３の先端側が、中実の貫通撹拌棒体３の先端に斜めに切り欠かれた筒状を成し、プランジャ２の収納区画室2dの導入用開口破断部2dbを押し破ることができ且つカプセル本体１の混合区画室1bの先端内面に当接すると押しつぶされるような可撓性を有する材質で形成されていたり、図９及び図１０に示す如く貫通撹拌棒体３の先端側に後端側よりもその横断面積が小さい横断面を有する摺動用細棒状部位3cが形成されていると共に、この摺動用細棒状部位3cに、その横断面外周が貫通撹拌棒体３の横断面外周と同一形状を成し且つその先端部が斜めに切り欠かれた筒状を成し、初期位置ではその斜めに切り欠かれた部位が摺動用細棒状部位3cの先端より突出した状態に位置し、プランジャ２の収納区画室2dの導入用開口破断部2dbを押し破ってカプセル本体１の混合区画室1bの先端内面に当接すると後端側へ摺動するように構成されている突き破り部3dが外嵌されていたりすれば、弱い押圧力であってもプランジャ２の収納区画室2dの導入用開口破断部2dbを確実に破断させることができて好ましいばかりでなく、貫通撹拌棒体３の先端をカプセル本体１の混合区画室1b内の先端内面に当接するまで確実に侵入させることができるので、その混合練和効率を格段に向上させることができると共にカプセル本体１の混合区画室1bの先端内面と貫通撹拌棒体３の先端とが当接するのでカプセル本体１の混合区画室1b内の混合物Ｃが混合区画室1b内に残存しない状態に押し出すことができて経済的で好ましい。
【００４９】
そして、この貫通撹拌棒体３の後端には、先端側へ押圧される第二押圧部位3aを有しており、この第二押圧部位3aとしては、貫通撹拌棒体３を先端側へ押圧できるような形状のものであれば何でもよく、例えば図１及び図３〜図５に示す如く単に中実な棒状体より成る貫通撹拌棒体３の後端が単に軸心と垂直な方向に切られたような形状や丸みを帯びたような形状であってもよいが、図示しないがその横断面がプランジャ２の収納区画室2d内を摺動する貫通撹拌棒体３の横断面よりも大きく形成された第二押圧部位3aであれば、貫通撹拌棒体３を先端側へ押圧してその先端でプランジャ２の収納区画室2dの導入用開口破断部2dbを押し破って第二成分Ｂをカプセル本体１の混合区画室1b内へ導入させた後に更に先端側へ摺動させた際に、貫通撹拌棒体３の先端がカプセル本体１の混合区画室1bの先端内面に当接するか又はその先端内面近傍まで侵入せしめた状態で、これ以上先端側へ摺動できないように位置規制することができて好ましい。
【００５０】
４はプランジャ２の撹拌棒用貫通穴2eに摺動自在な形状を成し、その先端がカプセル本体１の混合区画室1bの先端内面に当接するか又はその先端内面近傍まで侵入した状態でプランジャ２の撹拌棒用貫通穴2eに嵌入されている撹拌専用棒体であり、貫通撹拌棒体３の第二押圧部位3aが先端側へ押圧されることにより、貫通撹拌棒体３の先端でプランジャ２の収納区画室2dの導入用開口破断部2dbを押し破って第二成分Ｂをカプセル本体１の混合区画室1b内へ導入させて貫通撹拌棒体３の先端がカプセル本体１の混合区画室1bの先端内面に当接するか又はその先端内面近傍まで侵入せしめられた状態となった後に、プランジャ２の回転力伝達係合部位2cに回転力が付与されることによりプランジャ２がその中心軸線を中心としてカプセル本体１内で回転せしめられると、貫通撹拌棒体３と共にその先端がプランジャ２の先端から突き出した状態の撹拌専用棒体４がプランジャ２及び貫通撹拌棒体３と一体を成して混合区画室1b内でプランジャ２の中心軸線を中心として公転するように回動せしめられることにより、混合区画室1b内の第一成分Ａと第二成分Ｂを直接撹拌するようにして混合物Ｃとして混合練和する役目を果たす。
【００５１】
そして、この貫通撹拌棒体３としては、図１〜図６に示す如くプランジャ２の撹拌棒用貫通穴2eに摺動自在に嵌入可能な形状、即ちその横断面がプランジャ２の撹拌棒用貫通穴2eの横断面に対応した形状を成していればよく、そしてこの貫通撹拌棒体３の長手方向の長さとしては、プランジャ２がカプセル本体１内で先端側へ押圧される前の初期位置に位置している際に、その先端がカプセル本体１の混合区画室1bの先端内面に当接するか又はその先端内面近傍まで侵入した状態で少なくともその一部がプランジャ２の撹拌棒用貫通穴2eに嵌入されているような長さ以上の長さを有していればよいのである。
【００５２】
５はカプセル本体１の先端部に固定又は装着され、プランジャ２の第一押圧部位2bが先端側へ押圧されるとプランジャ２の棒状突起2aで開口せしめられたカプセル本体１の吐出用開口破断部1aからカプセル本体１の混合区画室1b内の第一成分Ａと第二成分Ｂとが混合練和された混合物Ｃを吐出させるノズルであり、カプセル本体１の破断された吐出用開口破断部1aより吐出される混合区画室1b内の混合物Ｃを患者の修復すべき部位に直接投与するためのものである。
【００５３】
このノズル５は、カプセル本体１の破断された吐出用開口破断部1aより吐出される混合区画室1b内の混合物Ｃを患者の修復すべき部位等に吐出させることができるものであれば何でもよく、例えば図１及び図３〜図５に示す如くその内部の流路がカプセル本体１の吐出用開口破断部1aを覆うような形状であって先端に行くに従って縮径された形状を成すものが例示できる。
【００５４】
このノズル５としては、カプセル本体１の先端部に予め固定されているものやカプセル本体１の先端部に装着されているものであってもよく、またカプセル本体１の先端部と一体を成すものであってもよい。そして、このノズル５がカプセル本体１の先端部に装着されているものである場合には、カプセル本体１の先端部でカプセル本体１の中心軸線回りに回転できるものであってもよい。
【００５５】
次に、このような構成の本発明に係る歯牙修復材用カプセルの使用方法について説明する。
初めに準備として、本発明に係る歯牙修復材用カプセルが、図１に示す如くそのカプセル本体１の混合区画室1b内に第一成分Ａが収納されていると共にプランジャ２の収納区画室2d内に第二成分Ｂが収納されている状態となるように組み立てる操作を行う。
【００５６】
この操作は、例えば、先ずカプセル本体１の混合区画室1b内に第一成分Ａを収納した後に、カプセル本体１内に後端側よりプランジャ２を嵌入し、しかる後にプランジャ２の収納区画室2d内にその後端の挿入口2daより第二成分Ｂを収納した後に、更に収納区画室2d内にその後端の挿入口2daより貫通撹拌棒体３をその先端側から嵌入し、しかる後に更にプランジャ２の撹拌棒用貫通穴2eにその後端の開口より撹拌専用棒体４をその先端がカプセル本体１の混合区画室1bの先端内面に当接するか又はその先端内面近傍まで侵入した状態と成るまで嵌入し、最後にカプセル本体１の先端部にノズル５を固定又は装着することによって行われる。
【００５７】
尚、これらの一連の組立て操作は通常工場で行われるものであり、またこれらの一連の組立て操作の順番は前後することがある。
【００５８】
また、これらの一連の組立て操作において、プランジャ２の撹拌棒用貫通穴2eにその後端の開口より撹拌専用棒体４をその先端がカプセル本体１の混合区画室1bの先端内面に当接するか又はその先端内面近傍まで侵入した状態と成るまで嵌入する手順についてその一部を省略して、撹拌専用棒体４の先端がカプセル本体１の混合区画室1bの先端内面に当接するか又はその先端内面近傍まで完全に侵入していない状態、即ち撹拌専用棒体４の先端がカプセル本体１の混合区画室1b内に少し侵入した状態やプランジャ２の撹拌棒用貫通穴2eにのみ侵入した状態でプランジャ２の撹拌棒用貫通穴2eに撹拌専用棒体４を嵌入させる操作を終えて出荷してもよく、このような場合には、最終的に使用時において術者が撹拌専用棒体４の後端を先端側へその先端がカプセル本体１の混合区画室1bの先端内面に当接するか又はその先端内面近傍まで侵入した状態と成るまで押圧した後に、後述する一連の操作を行えばよい。尚、このような場合における撹拌専用棒体４の後端を先端側へその先端がカプセル本体１の混合区画室1bの先端内面に当接するか又はその先端内面近傍まで侵入した状態と成るまで押圧する操作については以下の説明において省略する。
【００５９】
このような本発明に係る歯牙修復材用カプセルを準備した後に、先ず貫通撹拌棒体３の後端の第二押圧部位3aを先端側へ押圧することにより、貫通撹拌棒体３の先端でプランジャ２の収納区画室2dの導入用開口破断部2dbを押し破って第二成分Ｂをカプセル本体１の混合区画室1b内へ導入させ且つ貫通撹拌棒体３の先端がカプセル本体１の混合区画室1bの先端内面に当接するか又はその先端内面近傍まで侵入させる操作を行う。
【００６０】
具体的には、貫通撹拌棒体３の後端の第二押圧部位3aを先端側へ押圧すると、先ず貫通撹拌棒体３の先端が図１に示す状態からプランジャ２の収納区画室2d内で先端側へ摺動されてプランジャ２の収納区画室2dの導入用開口破断部2dbまで至ると、その先端で導入用開口破断部2dbを押し破って開口させると共に、開口した導入用開口破断部2dbより収納区画室2d内に収納された第二成分Ｂを押し出してカプセル本体１の混合区画室1bへと導入させる。
【００６１】
そして、このように貫通撹拌棒体３でプランジャ２の収納区画室2dの導入用開口破断部2dbを押し破って第二成分Ｂをカプセル本体１の混合区画室1bへと導入させた状態で、更に貫通撹拌棒体３の後端の第二押圧部位3aを先端側へ押圧すると、貫通撹拌棒体３の先端がカプセル本体１の混合区画室1bの先端内面に当接するか又はその先端内面近傍まで侵入せしめられ、図４に示す如くカプセル本体１の混合区画室1b内でプランジャ２の先端より貫通撹拌棒体３の先端が突出した状態となる。
【００６２】
次に、図３に示す如く第二成分Ｂがカプセル本体１の混合区画室1b内に導入され且つ貫通撹拌棒体３の先端がカプセル本体１の混合区画室1bの先端内面に当接するか又はその先端内面近傍まで侵入せしめられた状態において、プランジャ２の回転力伝達係合部位2cに回転力を付与することにより、カプセル本体１の混合区画室1bで第一成分Ａと第二成分Ｂとを混合練和して混合物Ｃとする操作を行う。
【００６３】
この操作では、プランジャ２の回転力伝達係合部位2cに回転力を付与することにより、カプセル本体１内でプランジャ２がその中心線を中心として回転せしめられると、このプランジャ２の回転に伴って、カプセル本体１の混合区画室1b内でプランジャ２の先端より突出した状態の貫通撹拌棒体３及び撹拌専用棒体４が、プランジャ２の中心軸線を中心として公転するように混合区画室1b内で回動せしめられて、混合区画室1b内の第一成分Ａと第二成分Ｂとがこの貫通撹拌棒体３や撹拌専用棒体４の運動により混合区画室1b内で直接撹拌されることによって混合練和される。
【００６４】
このように本発明では、第一成分Ａと第二成分Ｂとを混合練和する際に、図３に示す如くカプセル本体１の混合区画室1b内でプランジャ２から突き出た貫通撹拌棒体３及び撹拌専用棒体４が、プランジャ２の中心軸線を中心として公転するように回動せしめられるから、この貫通撹拌棒体３や撹拌専用棒体４によりカプセル本体１の混合区画室1b内で第一成分Ａと第二成分Ｂとを直接剪断するような力が加わるので、第一成分Ａと第二成分Ｂとを効果的に均一に混合練和せしめて良質な混合物Ｃを得ることができる。
【００６５】
そして、具体的には例えば図５及び図６に示す如くプランジャ２の回転力伝達係合部位2cがプランジャ２の後端に設けられた複数の凹状部及び／又は凸状部から成る態様の場合には、回転力伝達係合部位2cの複数の凹状部及び／又は凸状部に係合可能な凸状及び／又は凹状が設けられた係合用部材を駆動手段の軸に装着し、この係合用部材の凸状及び／又は凹状部位を回転力伝達係合部位2cの複数の凹状部及び／又は凸状部に挿入係合させて回転させることにより回転力伝達係合部位2cに回転力を付与すればよく、また図１〜図４に示す如くプランジャ２の回転力伝達係合部位2cがプランジャ２の後端で且つカプセル本体１の混合区画室1bの中心軸線と一致する位置に設けられた横断面が円形以外の凹状部又は凸状部から成る態様の場合には、回転力伝達係合部位2cに駆動手段の駆動軸を直接嵌入させたり、駆動手段の駆動軸に装着された係合部材を嵌入させたりすることにより回転力伝達係合部位2cに回転力を付与すればよい。
【００６６】
かくして混合区画室1b内で第一成分Ａと第二成分Ｂとを混合練和した後に、最後に図４に示す如くプランジャ２の第一押圧部位2bが先端側へ押圧することにより、カプセル本体１内でプランジャ２を先端側へ摺動させてプランジャ２の棒状突起2aでカプセル本体１の吐出用開口破断部1aを押し破って開口させると共にプランジャ２を先端で混合練和された混合物Ｃを混合区画室1b内より押し出して吐出用開口破断部1aより吐出させノズル５を介して患者の修復すべき部位に直接投与すればよい。
【図面の簡単な説明】
【００６７】
【図１】本発明に係る歯牙修復材用カプセルの１実施例を示す説明用側断面図である。
【図２】図１の説明用背面図である。
【図３】図１に示す歯牙修復材用カプセルにおいて貫通撹拌棒体を先端側へ押圧することにより貫通撹拌棒体でプランジャの収納区画室の導入用開口破断部を押し破って第二成分をカプセル本体の混合区画室内へ導入させ且つ貫通撹拌棒体の先端をカプセル本体の混合区画室内の先端内面近傍まで侵入せしめた状態を示す説明用側断面図である。
【図４】図３に示す歯牙修復材用カプセルにおいてプランジャの回転力伝達係合部位に回転力が付与されることによりカプセル本体の混合区画室内で第一成分と第二成分とを貫通撹拌棒体及び撹拌専用棒体で混合練和した後に、プランジャの第一押圧部位を先端側へ押圧することによりプランジャの棒状突起で開口せしめられたカプセル本体の吐出用開口破断部からカプセル本体の混合区画室内の混合物をノズルから吐出させた状態を示す説明用側断面図である。
【図５】本発明に係る歯牙修復材用カプセルの他の実施例を示す説明用側断面図である。
【図６】図５の説明用背面図である。
【図７】本発明に係る歯牙修復材用カプセルにおける貫通撹拌棒体の先端側の１例を示す説明用斜視図である。
【図８】図７の説明用側断面図である。
【図９】本発明に係る歯牙修復材用カプセルにおける貫通撹拌棒体の先端側の他の例を示す説明用側面図である。
【図１０】図９の説明用側断面図である。
【符号の説明】
【００６８】
１  カプセル本体
1a  吐出用開口破断部
1b  混合区画室
２  プランジャ
2a  棒状突起
2b  第一押圧部位
2c  回転力伝達係合部位
2d  収納区画室
2da  挿入口
2db  導入用開口破断部
2e  撹拌棒用貫通穴
３  貫通撹拌棒体
3a  第二押圧部位
3b  収納用細棒状部位
3c  摺動用細棒状部位
3d  突き破り部
４  撹拌専用棒体
５  ノズル
Ａ  第一成分
Ｂ  第二成分
Ｃ  混合物
【図１】
2008284347.tif 000003
【図２】
2008284347.tif 000004
【図３】
2008284347.tif 000005
【図４】
2008284347.tif 000006
【図５】
2008284347.tif 000007
【図６】
2008284347.tif 000008
【図７】
2008284347.tif 000009
【図８】
2008284347.tif 000010
【図９】
2008284347.tif 000011
【図１０】
2008284347.tif 000012